(57)【要約】  【課題】  本発明は、浴室ユニット施工時に、施工作業者が１人で組立可能な、浴室ユニットの施工方法提供することを目的とする。  【解決手段】  蝶番を上下に二段設置して、この蝶番に順次天井ユニットを係合させることにより、浴室ユニットの一人施工を行う。  【選択図】  図７
2009133120.tif 000002
【特許請求の範囲】
【請求項１】
以下の工程（ａ）〜（ｈ）による浴室ユニットの設置方法。
（ａ）防水パンを設置する工程。
（ｂ）防水パンの隣接する２つの角部に、フレームを立設する工程。
（ｃ）工程（ｂ）にて立設したフレームにより形成される辺に対向する他の２つの角部がなす辺に隣接する建築物躯体の壁又は柱に、上下２段に分けて上下に回動する蝶番を固定する工程。
（ｄ）工程（ｃ）にて固定した下部設置の蝶番に、天井ユニットを係合させる工程。
（ｅ）天井ユニットと蝶番との接点を支点となし、天井ユニットの接点と対向する辺を持ち上げて、工程（ｂ）のフレーム上に載置する工程。
（ｆ）天井ユニットの蝶番係合部を、下部設置蝶番から上部設置蝶番へと移動させる工程。
（ｇ）工程（ｃ）にて述べる他の２つの角部にフレームを立設する工程。
（ｈ）天井ユニットと上部設置蝶番との係合を外し、天井ユニットを工程（ｇ）にて立設したフレーム上に載置する工程。
【請求項２】
請求項１において、（ｃ）工程を（ａ）工程の前に行う浴室ユニットの設置方法。
【請求項３】
請求項１又は２において、蝶番が、その設置時における横幅を、天井ユニット全幅の１／２０以上とする浴室ユニットの設置方法。
【請求項４】
請求項１乃至３の何れかにおいて、蝶番が、その一方を壁又は柱に固定され、他方が壁又は柱からの最大回動角度を鋭角内とした蝶番を使用した浴室ユニットの設置方法。
【発明の詳細な説明】
【技術分野】
【０００１】
本発明は、浴室ユニットの設置方法、特に、天井ユニットの設置方法に関する。
【背景技術】
【０００２】
浴室ユニットは、浴室を構成する部材を予め製造し、現地にて各部材を組み立てるものであり、在来工法に比較して短時間に浴室を成形することができることから、現在では一般的に使用されている。
【０００３】
従来の浴室ユニット設置方法は、天井ユニット設置時に、先に天井ユニットを載置するフレームを防水パン上に立設し、その後、施工作業者が、天井ユニットを２人で持ち上げ、先に立設させたフレームの上部に載置している。
【０００４】
図１は、従来の天井ユニット設置方法を表した斜視図である。
施工業者は、床面に対して防水パン１が水平になるように設置し、その後、防水パン１の４つの角部に、フレーム２を立設する。その後、浴室ユニット施工作業者２人が、天井ユニット３を持ち上げ、防水パン１の４つの角部に立設させたフレーム上部２ａに、天井ユニット３の４つの角部を載置する。
【特許文献１】特開２００６−９３２３号公報
【発明の開示】
【発明が解決しようとする課題】
【０００５】
しかしながら、図１にて記載した天井ユニット設置手順の場合は、天井ユニットを設置する際に、作業者２名を必要とし、熟練の作業者が少なくなってきている今日においては、人手を確保することが難しく、また、施工費用を押し上げる要因にもなってしまう。
【０００６】
本発明は、浴室ユニット施工時に、施工作業者が１人で組立可能な、浴室ユニットの施工方法提供することを目的とする。
【課題を解決するための手段】
【０００７】
本発明は、以下のものに関する。
（１）以下の工程（ａ）〜（ｈ）による浴室ユニットの設置方法。
（ａ）防水パンを設置する工程。
（ｂ）防水パンの隣接する２つの角部に、フレームを立設する工程。
（ｃ）工程（ｂ）にて立設したフレームにより形成される辺に対向する他の２つの角部がなす辺に隣接する建築物躯体の壁又は柱に、上下２段に分けて上下に回動する蝶番を固定する工程。
（ｄ）工程（ｃ）にて固定した下部設置の蝶番に、天井ユニットを係合させる工程。
（ｅ）天井ユニットと蝶番との接点を支点となし、天井ユニットの接点と対向する辺を持ち上げて、工程（ｂ）のフレーム上に載置する工程。
（ｆ）天井ユニットの蝶番係合部を、下部設置蝶番から上部設置蝶番へと移動させる工程。
（ｇ）工程（ｃ）にて述べる他の２つの角部にフレームを立設する工程。
（ｈ）天井ユニットと上部設置蝶番との係合を外し、天井ユニットを工程（ｇ）にて立設したフレーム上に載置する工程。
（２）項（１）において、（ｃ）工程を（ａ）工程の前に行う浴室ユニットの設置方法。
（３）項（１）又は（２）において、蝶番が、その設置時における横幅を、天井パネル全幅の１／２０以上とする浴室ユニットの設置方法。
（４）項（１）乃至（３）の何れかにおいて、蝶番が、の一方を壁又は柱に固定され、他方が壁又は柱からの最大回動角度を鋭角内とした浴室ユニットの設置方法。
【発明の効果】
【０００８】
従来は、２人の浴室ユニット施工作業者を要していたが、本願発明によれば、天井ユニット設置作業を２段階に分けて作業可能な為、１人の施工業者で組立可能となる。
また、本願発明では、蝶番を用いることにより、下部設置蝶番から上部設置蝶番へと天井ユニットを持ち上げる際に、天井ユニットが上部設置蝶番回動部へ接触し、回動部が回転することで蝶番が邪魔にならず、天井ユニットを持ち上げることができる。
【０００９】
蝶番の横幅を決める際に、４０ｍｍ／８０ｍｍ／１６０ｍｍと徐々に広げていき、４０ｍｍの時は天井ユニットを持ち上げる際に安定しなかったが、８０ｍｍと１６０ｍｍの場合は安定した。使用した天井ユニットは、一辺１６００ｍｍであったので、蝶番の横幅が天井ユニットの全幅の１／２０以上ある場合は、天井ユニットを係合し持ち上げる作業の際に、安定させることが可能になる。
【００１０】
蝶番が、その一方を壁又は柱に固定され、他方が壁又は柱からの最大回動角度を鋭角内にすることにより、蝶番の天井ユニット係合面に天井ユニットフランジ部を引掛けた際、天井ユニットフランジ部が蝶番の天井ユニット係合面から落下するのを防ぐことができる。
【発明を実施するための最良の形態】
【００１１】
本発明にて述べる防水パンは、フレームを立設可能であり、排水口以外に漏水することがないものを使用することができ、浴槽載置部と洗い場部とが一体成形されているものでも、浴槽載置防水パンと洗い場防水パンとを水密的に結合させたものでも、浴槽と一体化されたものでも、使用することができる。
防水パンの浴槽載置部と洗い場部とは、その上面が、洗い場部の方を高くすることが好ましく、このようにすることで、浴槽跨ぎ高さを低くすることができる。
防水パンの材質は、特に限定されるものではないが、水場であることから、合成樹脂成形品を使用することが好ましく、特に量産性の優れるＳＭＣ製のものが好ましい。
防水パンの周囲は、水返しを行えるように、立上部を設けることが好ましく、更に、この立上部の内周に、壁パネルを立設させる一定幅の水平面を設けることが好ましい。
【００１２】
本発明にて述べるフレームは、後述する天井ユニットを支えるだけの強度を有するものであれば、その材質は限定されるものでなく、具体的には、アルミニウム、アルミニウム合金等の金属、高強度の合成樹脂成形品等を使用することができる。
また、フレームは、防水パンの角部に設置されるが、必要に応じて角部と角部との間の辺部にも設置することができる。
フレームは、溝を有したものが好ましく、この溝に壁パネルのフランジ部を挿入することで、壁面の支えにも使用することができる。
【００１３】
本発明にて述べる蝶番は、天井ユニットを引掛けて天井ユニットの重量を支える為に、金属系（鉄・ステンレス等）が好ましい。蝶番の縦・横幅は天井ユニットを安定して設置できるようになるべく大きいサイズが良い。蝶番固定面の縦幅は建築躯体の柱から外れにくいように１００ｍｍ以上であることが好ましく、蝶番天井ユニット係合部の横幅は天井ユニットを安定して設置する為に天井ユニットの一辺のサイズの１／２０以上であることが好ましい。但し、作業者の持ち運びを考慮して、各幅の寸法は１５０ｍｍ以内であることが好ましい。
蝶番の天井ユニット係合部に天井ユニットを引掛ける際に落下するのを防ぐため蝶番の開き角度に関しては、蝶番固定面に対して、鋭角であることが好ましい。蝶番の取り付け位置に関しては、下部設置蝶番の縦方向取り付け位置は作業者が天井ユニットを持ち上げなくても良い高さである防水パンから１５２０ｍｍとし、上部設置蝶番の縦方向取り付け位置は、後工程でフレームを取り付ける為フレーム位置よりも高い位置であれば良い。下部設置蝶番と上部設置蝶番の取り付け間隔は、特に限定されるものではないが、３５０ｍｍ以上であることが好ましい。下部設置蝶番と上部設置蝶番の取り付け横位置には天井ユニットの安定させる為に、天井ユニットの中央位置に固定する。
【００１４】
本発明にて述べる天井ユニットは、浴室ユニットの天井を構成可能なものであればよく、その材質、形状、大きさ等は限定されない。
天井ユニットには、浴室内の照明、喚起装置、暖房装置、除湿装置等を、設置することが可能であるが、重量物は天井ユニットを設置した後に、後付で設置することが好ましい。これは、天井設置時に天井を持ち上げる重量が、少しでも軽くなるようにするためである。
【実施例】
【００１５】
以下、図面を用いて本発明の実施例を説明する。
図２は、本発明の実施例で蝶番を取り付け後の状態を表した斜視図である。防水パン１の設置後、隣接する２つの角部に立設させたフレーム２により形成される辺に対向する他の２つの角部がなす辺に隣接する建築物躯体の柱４に、上下２段に分けて上下に回動する蝶番５ａ、５ｂを、間隔３５０ｍｍで固定する。
【００１６】
図３は、図２にて固定した下部設置蝶番５ａに、天井ユニット３を係合させた状態を表した斜視図である。
浴室ユニットの施工業者は、天井ユニット３の一辺を下部設置蝶番５ａに係合させることで、支えとなし、この係合部分と対向する辺を持ち上げることになる。
【００１７】
図４は、図３の下部設置蝶番５ａ天井ユニット係合部５ｃに天井ユニット３を係合させた状態の拡大図である。
本実施例で用いている天井ユニットは、その周囲に下向きの天井ユニットフランジ部３ａを有しており、この天井ユニットフランジ部３ａに、最大の開口角度まで開いた下部設置蝶番５ａを係合させているので、天井ユニット３が脱落することなく、引っ掛かる。
尚、天井ユニット係合部５ｃ部分の辺の長さは、１６００ｍｍであり、蝶番の横幅１００ｍｍは、天井ユニット３の辺部長さの１／１６となり、天井ユニット３の重量が局所的にかかることがなく、施工時の割れなどが発生しない。
【００１８】
図５は、図３にて係合させた天井ユニット３と下部設置蝶番５ａとの接点を支点となし、天井ユニット３の接点と対向する辺３ｂを持ち上げて、図２にて２つの角部に立設させたフレーム上部２ａに載置する状態を表した斜視図である。
施工業者は、下部設置蝶番５ａにて一辺を支えられている天井ユニット３を１人で持ち上げ、天井ユニットフランジ部３ａを引っ掛けるように、既に立設させてあるフレーム２の上に載せる。
天井ユニット３は、その周囲に天井ユニットフランジ部３ａを有していることから、図５にて実線で示される状態で、施工業者が手を離しても、安定してそのままの状態を維持することができる。
【００１９】
図６は、図３にて天井ユニット３と係合させた下部設置蝶番５ａから上部設置蝶番５ｂに移動させた状態を表した斜視図である。
施工業者は、図５に示した状態であると、図示しない残りのフレームを立設することができないので、天井ユニット３を更に上方に持ち上げる。
【００２０】
図７は、図６の天井ユニット３と係合させた下部設置蝶番５ａから上部設置蝶番５ｂに移動させた手順を表した拡大図である。
施工業者は、図７（ａ）に示すように、下部設置蝶番５ａに係合している天井ユニット３を持ち上げ、上方へと引き上げる。
天井ユニット３は、図７（ｂ）に示すように、上部設置蝶番５ｂに当接するが、上部設置蝶番５ｂは、回動することにより、天井ユニット３を更に上方へと引き上げる通路を、形成することができる。
施工業者は、図７（ｃ）に示すように、天井ユニット３が、完全に上部設置蝶番５ｂよりも上になった状態で、自然落下により上部設置蝶番５ｂが回動し、元の位置に戻ったことを確認してから、図７（ｄ）に示すように、天井ユニット３を上部設置蝶番５ｂに係合させる。
【００２１】
図８は、図２にて述べた２つの角部の他の角部にフレーム２を立設させ、図６にて係合
させた上部設置蝶番５ｂと天井ユニット３との係合を外し、フレーム上部２ａに天井ユニット３を載置させた状態を表した斜視図である。
天井ユニット３の全てをフレーム２にて支える状態となったら、蝶番は、その後使用することがないので、取り外すか、そのままそこに放置できるが、蝶番自体は再利用可能であるので、取り外すことが好ましい。
【００２２】
図９は、天井ユニット３を係合させる蝶番５ａ、５ｂの拡大図である。
固定される蝶番５ａ、５ｂの横幅は共に１００ｍｍであり、板厚は３．２ｍｍである。
【００２３】
図１０は、蝶番５ａ、５ｂの回動した前後の回動角度を表す図である。
蝶番５ａ、５ｂが、蝶番建築躯体固定面５ｄを建築躯体４に固定され、蝶番天井ユニット係合部５ｃが建築躯体４からの最大回動角度を鋭角内（０≦θ＜９０）とした蝶番である。
【図面の簡単な説明】
【００２４】
【図１】従来の天井ユニット設置方法を示す斜視図である。
【図２】本発明の１実施例であり、蝶番取り付け後の斜視図である。
【図３】図２にて固定した下部設置蝶番に、天井ユニットを係合させた状態の斜視図である。
【図４】図３の下部設置蝶番天井ユニット係合部に天井ユニットを係合させた状態の拡大図である。
【図５】図３の状態から図２にて立設させたフレームに天井ユニットを載置させた状態の斜視図である。
【図６】図３にて天井ユニットと係合させた下部設置蝶番から上部設置蝶番に移動させた状態の斜視図である。
【図７】図６にて述べた下部設置蝶番から上部設置蝶番に移動させた拡大図である。
【図８】図６にて係合させた上部設置蝶番との係合を外し、図７にて立設させたフレーム上部に天井ユニットを載置させた状態を表した斜視図である。
【図９】天井ユニットを係合させる蝶番の拡大図である。
【図１０】蝶番の回動角度範囲を表した図である。
【符号の説明】
【００２５】
１…防水パン、２…フレーム、２ａ…フレーム上部、３…天井ユニット、３ａ…天井ユニットフランジ部、３ｂ…天井ユニットと蝶番の接点と対向する辺、４…建築躯体、５ａ…下部設置蝶番、５ｂ…上部設置蝶番、５ｃ…蝶番天井ユニット係合部、５ｄ…蝶番建築躯体固定面。
【図１】
2009133120.tif 000003
【図２】
2009133120.tif 000004
【図３】
2009133120.tif 000005
【図４】
2009133120.tif 000006
【図５】
2009133120.tif 000007
【図６】
2009133120.tif 000008
【図７】
2009133120.tif 000009
【図８】
2009133120.tif 000010
【図９】
2009133120.tif 000011
【図１０】
2009133120.tif 000012